(57)【要約】      （修正有）【課題】操作キーの個数及び大きさは変えずに、操作パッドを省スペース化した携帯電話を提供する。【解決手段】（１）操作キー（一部）を連環状に配列させる。この連環状に配列された領域をエリアＡとする。（２）また、前記（１）において、操作キー（一部）を連環状に配列させたときに、必然的に、空洞の領域、エリアＢが生じる。このエリアＢにも、操作キー（一部）を配列させる。（３）さらに、前記（１）におけるエリアＡと前記（２）におけるエリアＢの両者に属さない領域、すなわち、エリアＣにも、操作キー（一部）を配列させる。【選択図】図３
2008193647.tif 000002
【特許請求の範囲】
【請求項１】
図２参照。
本発明は、
（１）操作キー（一部）が連環状に配列されており、
（２）前記（１）において、操作キー（一部）が、連環状に配列されることにより、必然的に生じる空洞の領域、すなわち、エリアＢにも、操作キー（一部）が配列されており、
（３）前記（１）において、連環状に配列される操作キー（一部）を有する領域、すなわち、エリアＡ、及び、前記（２）におけるエリアＢの両者に属さない領域、すなわち、エリアＣにも、操作キー（一部）が配列される、
という、前記（１）（２）（３）のすべての特徴を有する携帯電話機の操作パッドである。
【請求項２】
図３参照。
図３は、前記、［請求項１］のエリアＡ、エリアＢ、エリアＣに、操作キーを配列させた一例図であり、描画されている操作パッド３のサイズ及び形状、及び、描画されている操作パッド３を構成する操作キーのサイズ及び形状及び個数及び名称及び配列順序は、一例であり、それら一例に類似するものは、本発明に属する。
【発明の詳細な説明】
【技術分野】
【０００１】図１参照。
本発明は、従来の携帯電話機における操作パッド２を構成する操作キーの配列方法を改善することにより、操作キーの個数及び操作キー個々のサイズは、従来のものと、ほぼ同等であり、且つ、操作パッド２の省スペース化を可能とする。
【背景技術】
【０００２】図１参照。
従来の携帯電話機において、操作パッド２を省スペース化する場合、操作キー個々のサイズは、従来のままで、その個数を減少させること、または、操作キーの個数は、従来のままで、その個々のサイズを縮小化させることが必然となる。
しかし、操作キーの個数及び操作キー個々のサイズは、従来のものと、ほぼ同等であり、且つ、操作パッド２の省スペース化を可能とするものはない。
【発明の開示】
【発明が解決しようとする課題】
【０００３】図１参照。
従来の携帯電話機は、下記の問題がある。
操作パッド２を省スペース化する場合、
（１）操作キー個々のサイズは、従来のままで、その個数を減少させる、
（２）または、操作キーの個数は、従来のままで、その個々のサイズを縮小化させる、
という、前記（１）（２）が必然となる。
しかし、前記（１）においては、操作キーの個数が減少することにより、従来の携帯電話機において利用できる機能の数を確保するためには、１個の操作キーに対して付与されている機能に、さらに機能を付与させることが必要となり、その結果、同一操作キーへの連続押しの頻度が多くなることが考えられ、１個の操作キーに対する負荷が大きくなり、故障の原因となり得る。
また、前記（２）における操作キー個々のサイズの縮小化は、操作キーの押しにくさを生じる。
【課題を解決するための手段】
【０００４】図２参照。
（１）操作キー（一部）を連環状に配列させる。この連環状に配列される操作キー（一部）を有する領域をエリアＡとする。
（２）また、前記（１）において、操作キー（一部）が、連環状に配列されることにより、必然的に生じる空洞の領域、すなわち、エリアＢにも、操作キー（一部）を配列させる。
（３）さらに、前記（１）におけるエリアＡと前記（２）におけるエリアＢの両者に属さない領域、すなわち、エリアＣにも、操作キー（一部）を配列させる。
【発明の効果】
【０００５】図４参照。
2008193647.tif 000003
の比較より、本発明における操作パッド３を構成するする操作キーの個数及びサイズは、従来の携帯電話機の操作パッド２を構成する操作キーと、ほぼ同等であるため、操作性についても、従来とほぼ同等のものとすることが可能となる。
（２）また、従来の携帯電話機に、操作パッド３を設置すると、必然的に、空きスペース４が生じる。例えば、この空きスペース４の領域内に、さらに、操作キーを増設させた場合、従来の携帯電話機よりも、利用できる機能の数を、さらに拡大させることが可能となる。
【実施例１】
【０００６】図３参照。
下記、▲１▼〜▲２５▼の番号とそれらの番号に右記されている名称は、図３における▲１▼〜▲２５▼の操作キー番号と操作キー名称に一致するものである。
また、操作キー番号及び操作キー名称の下段に、操作キー個々が有する機能とその役割の一例を記載する。
尚、図３に描画されている操作パッド３のサイズ及び形状、及び、図３に描画されている操作パッド３を構成する操作キーのサイズ及び形状及び個数及び名称及び配列順序は、一例であり、それら一例に類似するものは、本発明に属する。
▲１▼メイン／決定
（１）ディスプレイ１が待受状態において、当操作キーを押すと、本携帯電話機における利用可能な機能やデータフォルダが一覧表示される。
（２）また、選択した機能を決定する場合に使用する。
▲２▼発信・着信履歴／進む／文字スペース、または、→
（１）ディスプレイ１が待受状態において、当操作キーを押すと、電話の発信履歴及び着信履歴が表示される。
（２）メール、ウェブ等利用時での文字／数字／記号入力の際、数秒間（例えば、２秒以上）長押しすると、スペース（空白）を入力することができる。
（３）また、表示中の画面において、右方向へ移動する場合に使用する。
（４）また、表示中の画面から、次の画面へ進む場合に使用する。
▲３▼改行、または、↓
（１）メール、ウェブ等利用時での文字／数字／記号入力の際、当操作キーを押すと、改行を行うことができる。
（２）また、表示中の画面において、下方向へ移動する場合に使用する。
▲４▼アドレス／戻る、または、←
（１）ディスプレイ１が待受状態において、当操作キーを押すと、登録済みの電話番号及びメールアドレスが一覧表示される。
（２）また、表示中の画面において、左方向へ移動する場合に使用する。
（３）また、表示中の画面から、前の画面に戻る場合に使用する。
▲５▼変換／モード切替、または、↑
（１）表示中の画面において、上方向へ移動する場合に使用する。
（２）また、メール、ウェブ等利用時での文字／数字／記号入力の際、当操作キーを押すと、下記ａ．〜ｅ．を行うことができる。
入力モードが、
ａ．「ひらがな」のとき、「ひらがな」から「漢字」への変換、または、「ひらがな／カタカナ」の切り替え、または、「清音／濁音／半濁音」の切り替え、又は、文字サイズ大／文字サイズ小」の切り替え、
ｂ．また、「カタカナ」のとき、「カタカナ」から「漢字」への変換、または、「清音／濁音／半濁音」、または、「全角／半角」の切り替え、または、「文字サイズ大／文字サイズ小」の切り替え、
ｃ．また、「アルファベット」のとき、「大文字／小文字」の切り替え、または、「半角／全角」の切り替え、
ｄ．また、「数字」のとき、「半角／全角」の切り替え、
ｅ．また、「記号」のとき、「一般記号（下記※１参照）／ＵＲＬ記号（下記※２参照）／各種顔文字、絵文字」の切り替えをする場合に使用する。
※１．一般記号とは『単位』『括弧』『句読点』『！（感嘆符）』『？（疑問符）』『．（ピリオド）』『，（カンマ）』等のことである。
※２．ＵＲＬ記号とは、『＠（アットマーク）『．（ドット）』『＿（アンダーバー）』『‐（ハイフン）』『ドメイン』等のことである。
▲６▼文字／数字／記号表示
メール、ウェブ等利用時での文字／数字／記号入力の際、当操作キーを押すと、文字／数字／記号の一覧表示（下記参照）をすることができる。
＜文字／数字／記号の一覧表示＞
ａ．文字−−−アルファベット２６文字／ひらがな５０音／カタカナ５０音
ｂ．数字−−−０〜９までの数字
ｃ．記号−−−一般記号（前記▲５▼（２）ｅ参照）／ＵＲＬ記号（前記▲５▼（２）ｅ．参照）／各種顔文字、絵文字
▲７▼〜▲１６▼文字／数字／記号を入力するための操作キー群である。
（１）ディスプレイ１が待受状態において、当操作キーを押すと、数字の直接入力が可能となる。
（２）また、メール、ウェブ等利用時での文字／数字／記号入力の際、文字／数字／記号の一覧表示（前記▲６▼参照）を行った後、使用したい入力モードを決定（前記▲１▼参照）の上、当操作キーを押すと、入力モードが、
ａ．「アルファベット」のとき、「アルファベット２６文字」の入力が可能となる。
ｂ．また、「ひらがな」、「カタカナ」のとき、「ひらがな／カタカナ５０音」の入力が可能となる。
ｃ．また、「数字」のとき、「０〜９までの数字」の入力が可能となる。
ｄ．また、「記号」のとき、「一般記号（前記▲５▼（２）ｅ．参照）／ＵＲＬ記号（前記▲５▼（２）ｅ．参照）／各種顔文字、絵文字」の入力が可能となる。
▲１７▼文字／数字／記号クリア
メール、ウェブ等利用時での文字／数字／記号入力の際、当操作キーを押すと、文字／数字／記号を消去することができる。
▲１８▼ウェブ／アプリ
ディスプレイ１が待受状態において、当操作キーを押すと、ウェブ／アプリが起動する。
▲１９▼終話／電源
１．電話を切る場合に使用する。
２．また、電話がかかってきた際、当操作キーを押すと、受話を拒否することができる。
３．また、携帯電話機本体の電源をＯＮ／ＯＦＦする場合に使用する。
ａ．電源がＯＮの状態のとき、当操作キーを数秒間（例えば、２秒以上）長押しすると、電源がＯＦＦとなり、携帯電話機がシャットダウンされる。
ｂ．また、電源がＯＦＦの状態のとき、当操作キーを数秒間（例えば、２秒以上）長押しすると、電源がＯＮとなり、携帯電話機が起動する。
▲２０▼カメラ
カメラを使用する場合に使用する。
▲２１▼マナーモード
携帯電話機をマナーモードにする場合に使用する。
▲２２▼＊
＊記号を入力する場合に使用する。ディスプレイ３が待受画面の際、当操作キーを押すと、＊記号の直接入力が可能となる。
▲２３▼♯
♯記号を入力する場合に使用する。ディスプレイ３が待受画面の際、当操作キーを押すと、＊記号の直接入力が可能となる。
▲２４▼発信／通話
ディスプレイ１が待受状態において、数字を直接入力（前記▲７▼〜▲１６▼（１）参照）した後、当操作キーを押す、もしくは、当操作キーを押した後、数字を直接入力すると、電話をかけることができる。
また、電話がかかってきた際、当操作キーを押すと、電話を受けることができる。
▲２５▼メール
ディスプレイ１が待受状態において、当操作キーを押すと、ＥメールまたはＣメールにかかわるメニュー（メール新規作成、送信／受信履歴表示、メール設定等）が一覧表示される。
【図面の簡単な説明】
【０００７】
【図１】従来の携帯電話機の正面図と斜視図である。
【図２】本発明の簡易図である。
【図３】本発明における操作キー配列の一例である。
【図４】［ＩＩＩ］従来の操作パッド２と［ＩＶ］本発明の操作パッド３との比較図である。
【符号の説明】
【０００８】１  ディスプレイ
２  操作パッド
３  操作パッド
４  空きスペース
2008193647.tif 000004
操作キー
▲１▼〜▲２５▼
操作キー
【図１】
2008193647.tif 000005
【図２】
2008193647.tif 000006
【図３】
2008193647.tif 000007
【図４】
2008193647.tif 000008